(57)【要約】    【目的】押し込むだけで容易に杖を握持可能な杖ホルダーを提供することを目的とする。    【構成】二つの支持腕１１とこの二つの支持腕をそれらの一方の端部で接続する接続部１２とを備えた、基本的にコの字状の支持部材１の前記支持腕の他方の端部に、二つの回動部材２１とそれらの一方の端部を接続する弾性体のホルダーベルト２２とを備えた、基本的にコの字状のホルダー部材２の前記回動部材の他方の端部を回動自在に取り付けたことを特徴とする。【選択図】  図１
0003118957.tif 000002
【実用新案登録請求の範囲】
【請求項１】
二つの支持腕とこの二つの支持腕をそれらの一方の端部で接続する接続部とを備えた、基本的にコの字状の支持部材の前記支持腕の他方の端部に、二つの回動部材とそれらの一方の端部を接続する弾性体のホルダーベルトとを備えた、基本的にコの字状のホルダー部材の前記回動部材の他方の端部を回動自在に取り付けたことを特徴とする杖ホルダー。
【請求項２】
前記ホルダー部材は全体的に弾性体で製造されていることを特徴とする請求項１記載の杖ホルダー。
【請求項３】
前記支持部材は、上部支持部材、下部支持部材およびこの上部支持部材および下部支持部材をコの字状に接続する立設部材を備え、前記上部支持部材および下部支持部材の支持腕端部に設けられたピン穴に前記回動部材に設けられたピン穴を合わせ、ピンを挿通して、前記支持腕にホルダー部材を取り付けたことを特徴とする請求項１または２記載の杖ホルダー。
【請求項４】
前記ピンは頭部とこの頭部より伸長する軸部を備え、前記軸部には軸方向に形成された突起と、軸方向に並んだ凹部が備えられており、かつ前記軸部は全体が弾性体で製造されたホルダー部材の回動部材に形成されたピン穴より大きな径を備えていることを特徴とする請求項３記載の杖ホルダー。
【請求項５】
取付面に固定するための固定部分と前記固定部分に対し回動可能回動部分と、前記回動部分と固定部分が水平になるような方向に付勢するばねとを備えた取付部材を、前記回動部分で前記接続部に取り付けたことを特徴とする請求項１から４記載のいずれかの杖ホルダー。
【請求項６】
前記取付部材のばねの付勢力は、前記杖ホルダーのみを回動させるためには充分であるが、保持された杖とともに杖ホルダーを回動させるには不十分であることを特徴とする請求項５記載の杖ホルダー。
【請求項７】
切欠きおよびヒンジを備えた弾性体のリング状の取付部材本体と前記取付部材本体を支持部材の接続部の前記立設部材に取り付けるための取付部を備え、前記取付部は前記立設部材の面に当接する当接面と前記当接面より伸長する係止爪を有する取付部材を前記支持部材の立設部材に前記係止爪によって取り付けたことを特徴とする請求項１から４記載のいずれかの杖ホルダー。
【考案の詳細な説明】
【技術分野】
【０００１】
本考案は杖ホルダー、さらに詳細には単に杖を押し込むだけで、杖を握持可能な杖ホルダーに関する。
【背景技術】
【０００２】
杖ホルダーは、病院などの受付や、トイレなどに設置され、杖使用者（杖に頼る高齢者、障害者、怪我人など）が、受付などにおいて、書類の記入などの作業を行い、あるいはトイレで用をたす場合に、前記杖をホールドするために設置される。
【０００３】
このような杖ホルダーとして、たとえば、特開２００１−３４０１６４号に示されるようにイスの背もたれにフックで筒状の杖の収容体Ｓを取り付ける杖ホルダー（図９（ａ））や、特開２００４−５７４２２号に示すようにＣ字状の弾性係止片Ｃ（図（ｂ））を病院などの受付、トイレに設置する杖ホルダーが開発されている。
【０００４】
しかしながら、たとえば前者の筒状の杖ホルダーにおいては、杖をホルダーするためには、杖を上部より挿入しなければならない。たとえば、高齢者にとっては、腕を上げること自体が困難あるいは苦汁を伴う場合もあり、あまり好ましい形態ではない。
【０００５】
また、後者の場合には、杖をホルダーするとき、前記Ｃ字状弾性係止片Ｃに杖を挿嵌し、また取り外す場合に弾性に抗する力が必要であり、また挿嵌後、杖が落下するという欠点がある。
【特許文献１】特開２００１−３４０１６４号
【特許文献２】特開２００４−５７４２２号
【考案の開示】
【考案が解決しようとする課題】
【０００６】
本考案は上述の欠点を除去することを課題とするものであり、押し込むだけで容易に杖を握持可能な杖ホルダーを提供することを目的とする。
【課題を解決するための手段】
【０００７】
上記課題を解決するため、本考案による杖ホルダーは、二つの支持腕とこの二つの支持腕をそれらの一方の端部で接続する接続部とを備えた、基本的にコの字状の支持部材の前記支持腕の他方の端部に、二つの回動部材とそれらの一方の端部を接続する弾性体のホルダーベルトとを備えた、基本的にコの字状のホルダー部材の前記回動部材の他方の端部を回動自在に取り付けたことを特徴とする。
【考案の効果】
【０００８】
本考案によれば、弾性体よりなるホルダーベルトに杖を押し付けた場合に、前記ホルダーベルトを支持する回動部材が回動し、支持腕が形成するコの字部分に押し込まれることになり、前記ホルダーベルトが杖に巻き付いて、保持することになる。このため、大きな力で押し込むことなく、またホルダーベルトは弾性体であるため、杖に密着保持することになるため、落下することなく、前記杖を保持可能になる。
【考案を実施するための最良の形態】
【０００９】
本考案による好ましい実施形態において、前記ホルダー部材は全体的に弾性体で製造されていることを特徴とする。
【００１０】
本考案による他の好ましい形態においては、前記支持部材は、上部支持部材、下部支持部材およびこの上部支持部材および下部支持部材をコの字状に接続する立設部材を備え、前記上部支持部材および下部支持部材の支持腕端部に設けられたピン穴に前記回動部材に設けられたピン穴を合わせ、ピンを挿通して、前記支持腕にホルダー部材を取り付けたことを特徴とする。
【００１１】
この実施形態において、前記ピンは頭部とこの頭部より伸長する軸部を備え、前記軸部には軸方向に形成された突起と、軸方向に並んだ凹部が備えられており、かつ前記軸部は全体が弾性体で製造されたホルダー部材の回動部材に形成されたピン穴より大きな径を備えていることを特徴とする。
【００１２】
本考案による他の好ましい形態においては、取付面に固定するための固定部分と前記固定部分に対し回動可能回動部分と、前記回動部分と固定部分が水平になるような方向に付勢するばねとを備えた取付部材を、前記回動部分で前記接続部に取り付けたことを特徴とする。さらに、このような形態において、前記取付部材のばねの付勢力は、前記杖ホルダーのみを回動させるためには充分であるが、保持された杖とともに杖ホルダーを回動させるには不十分であることを特徴とする。
【００１３】
本考案による他の好ましい形態においては、切欠きおよびヒンジを備えた弾性体のリング状の取付部材本体と前記取付部材本体を支持部材の接続部の前記立設部材に取り付けるための取付部を備え、前記取付部は前記立設部材の面に当接する当接面と前記当接面より伸長する係止爪を有する取付部材を前記支持部材の立設部材に前記係止爪によって取り付けたことを特徴とする。
【実施例】
【００１４】
図１および図３は本考案による杖ホルダーの一部切欠き平面図、図２は正面図であるが、これらの図より明らかなように、本考案による杖ホルダーは、二つの支持腕１１が相互に対向して設けられ、前記支持腕１１の一方の端部に設けられた接続部１２によって接続された構造の支持部材１を備えている。そして、同様に相互に対向して設けられた二つの回動部材２１とこの回動部材２１を一方の端部で接続する弾性体のホルダーベルト２２とを備えたホルダー部材２を有している。
【００１５】
前記支持部材１およびホルダー部材２は、基本的に若干開いたコの字状の形状をしており、前記コの字状の開放側端部Ｅ１，Ｅ２で相互に回動自在に取り付けられている。すなわち、前記支持部材１の前記支持腕１１の他方の端部（開放側端部）に二つの回動部材２１とそれらの一方の端部を接続する弾性体のホルダーベルト２２とを備えた、基本的にほぼコの字状のホルダー部材２の前記回動部材２１の他方の端部（開放側端部）を回動自在に取り付けた構造になっている。
【００１６】
前記支持部材１は、接続部１２およびこれに続く支持腕１１の一部は上部支持部材Ｕおよび下部支持部材Ｌが垂直な立設部材Ｖによって接続された構造になっており、断面コの字状になっている。そして前記ホルダー部材２の回動部材２１の端部Ｅ２が前記支持腕１１の端部Ｅ１で前記の上部支持部材Ｕおよび下部支持部材Ｌに挟持されて、ピン３によって回動自在に接続されている。
【００１７】
回動部材２１の一方の端部で接続する弾性体のホルダーベルト２２はすべり止め突起２２１が設けられた帯状の部材である。前述のようにホルダーベルトは弾性体、たとえばＥＰＤＭのようなゴム、あるいはポリプロピレンなどのポリオレフィンのような熱可塑性樹脂弾性体であるが、前記回動部材２１は必ずしも弾性体である必要はない。しかしながら、一体的に製造できるなどの点より、上述のような弾性体であるのが望ましい。
【００１８】
図４に、本考案で使用する好ましいピンの側面図を示す。前記ピン３は一方の端部に設けられた頭部３１とこの頭部３１より伸長する円柱状の軸部３２よりなっており、前記軸部３２の所定箇所に軸部３２の軸方向に伸長する突起３２１と同様に軸方向に並んだほぼ半球状の凹部３２２が形成された構造になっている。
【００１９】
前記弾性体である回動部材２１を支持腕１１に取り付けるに際しては、前記支持腕１１の端部に形成されたピン穴１３を同様に前記回動部材２１に貫通して設けられたピン穴２３に合わせて、前記ピン３を挿入することによって取り付けられる。
【００２０】
前記ピン３の軸部３２の径は前記回動部材２1のピン穴２３より若干大きくなっており、弾性体の回動部材２１の前記ピン穴２３に圧入することによって、前記ホルダー部材２の回動部材２１を回動自在に支持腕１１に容易に取り付けることができる。このとき、前記突起３２１はピン穴２３との間に大きな圧力を生じ、ピン穴２３よりピン３が抜けにくくなる作用を行う。一方、凹部３２２は、前記突起３２１によって生じたある力を逃がすために、弾性体が前記凹部３２２に入り込むことになるため、同様にくさび効果によって、ピン３が抜けにくくなる作用を生じる。
【００２１】
本考案による杖ホルダーは、たとえば図１、図３、図５〜図７に示すような取付部材４によって壁面などに設置することができる。取付部材４は、壁面などに固定するための固定部分４１と、この固定部分４１に基本的に水平に接続し、前記杖ホルダーの接続部１２に固定される回動部分４２を有している。前記回動部分４２は、この回動部分４２と固定部分４１との間に設けられるヒンジ部分４３によってほぼ９０°回動するようになっている。この実施例においては、前記回動部分４２は、平面コの字状になっており（図１および図３参照）、コの字状の腕部分４４で、ボルトなどによって、前記接続部１２に取り付けられている。前記回動部分４２と固定部分４１にはばね（図示せず）が組み込まれており、前記ばねは前記回動部分４２が固定部分４１に対し水平になるように付勢されている。したがって、回動部分４２が回動した場合、元の水平状態になるような力が働くようになっている。このようなばねは、前記杖ホルダーのみを回動させるためには充分であるが、保持された杖とともに杖ホルダーを回動させるには不十分であるような付勢力を備えている。
【００２２】
このような取付部材４の固定部分４１を壁面などの取付面に杖ホルダーが上になるように取り付けると、前記取付部材４は前記ばねによって水平になるように付勢されているため、前記取付面に杖ホルダーの上面（上部支持部材Ｕ側の面）が当接するように取付面に保持される（図５参照）。前記ばねの付勢力は、杖と杖ホルダーの総負荷よりも小さくしており（保持された杖と杖ホルダーを回動させるには不十分）、このため杖５が杖ホルダーに保持されたときには、前記回動部分４２が回動しないようになっている（図６参照）。さらに、杖５が保持されていない場合には、前記ばねの付勢力によって、固定部分４１と水平になるように回動し、図５に示すような位置に戻るようなばねの付勢力を備えている（図７参照）。
【００２３】
本考案による杖ホルダーは、たとえば、図８に示すような弾性体の取付部材４によって、ポール状の支柱などに取り付けることが可能である。すなわち、前記取付部材６は切欠き６１１およびヒンジ６１２を備えた弾性体のリング状の取付部材本体６１と前記取付部材本体６１を支持部材１の接続部１２部分の立設部材Ｖに取り付けるための取付部６２を備えている。前記取付部６２は前記立設部材Ｖの面に当接する当接面６２１と前記当接面６２１より係止爪６２２が伸長した構造になっている。そして、この係止爪６２２を前記立設部材Ｖに形成された取付穴１２１に係止させることにより前記取付部材６を前記杖ホルダーに取り付けることが可能である。
【００２４】
この取付部材６を介して杖ホルダーを支柱に取り付ける場合、前記切欠き６２部分をヒンジ６１２の作用により開いて、前記リング状の取付部材本体６１を支柱に嵌めあわせればよい。
【００２５】
上述のような取付部材を使用することなく、前記立設部材Ｖに両面テープを設け、あるいは接着剤、ボルトなどによって壁面に取り付けることも可能である。
【００２６】
取付部材４の固定部分４１で取付面に固定した本考案による杖ホルダーを使用する場合、前記杖ホルダーのホルダー部材２側を矢印（図５参照）方向に引張って回動部分４２をヒンジ回動させ、図６に示すように、杖ホルダーが水平になるようにし、杖５を前記ホルダーベルト２２に押し付ける。このように杖５をホルダーベルトに押し付けると、回動部材２１は回動し、かつ弾性体のホルダーベルト２２は杖５を包み込むように湾曲する。前記回動部材２１が所定位置を越えると、前記ホルダーベルト２２は杖５を巻き込み、戻らないようになり、杖５を保持することになる（図３参照）。前記ホルダーベルト２２は弾性体であるため、杖５は落下することなく保持可能である。また、押し込む力も前記ホルダーベルト２２の弾性および回動部材の回動抵抗に依存するのみであるため、大きな力を必要とせず、また従来のＣ字状弾性係止片ＣのようにＣの切欠き部に押し付けるような正確な位置取りを必要としないという利点がある。
【００２７】
このとき、取付部材４のばねの付勢力は、杖５および杖ホルダーの重みよりも小さく、かつ杖ホルダーのみを回動し元に戻すには十分なようにセットされている（したがって、杖５が外されたときには図５の位置に戻るようになっている）ため、図６の位置に保持される。
【００２８】
前記杖５を取り外すときには、前記杖５を引張ることによって前記回動部材２１は容易に回動し、所定位置を越えたところでホルダーベルト２２の弾性によって杖５は押し出されるので、大きな力を必要とせずに、容易に取りだすことが可能である。杖ホルダーを取り外すと、前記取付部材４のばねの付勢力は、杖ホルダーを回動させるには十分な大きさを備えているため、杖ホルダーは回動して、その上面が取付面に当接される。このような杖ホルダーの未使用の状態では、杖ホルダーの取付面よりの突出は、前記立設部材Ｖに両面テープを設け、あるいは接着剤、ボルトなどによって壁面等の取付面に取り付ける場合に比較して小さくなる。このため、人体、持参物に接触し、傷などあるいは損傷を与えることが極少になるという利点を生じる。
【産業上の利用可能性】
【００２９】
以上説明したように、本考案によれば、弾性体よりなるホルダーベルトに杖を押し付けた場合に、前記ホルダーベルトを支持する回動部材が回動し、支持腕が形成するコの字部分に押し込まれることになり、前記ホルダーベルトが杖に巻き付いて、保持することになる。このため、大きな力で押し込むことなく、またホルダーベルトは弾性体であるため、杖に密着保持することになるため、落下することなく、前記杖を保持可能になる。また、取付部材４を使用する場合には、杖ホルダーを使用していないときに、取付面に平行の保持されるため、取付面よりの突出量が小さく、人体、持参物を損傷する恐れを極少とすることができる。
【図面の簡単な説明】
【００３０】
【図１】本考案の一実施例の一部切欠き平面図。
【図２】本考案の一実施例の正面図。
【図３】本考案の一実施例の回動部材が回動したときの一部切欠き平面図。
【図４】本考案に使用するピンの一例の側面図。
【図５】本考案に使用する取付部材の一例の杖ホルダ未使用の状態の側面図。
【図６】本考案に使用する取付部材の一例の杖ホルダ使用の状態の側面図。
【図７】本考案に使用する取付部材の一例の側面図。
【図８】本考案に使用する取付部材の他の例の平面図。
【図９】従来の杖ホルダーの斜視図。
【符号の説明】
【００３１】
１    支持部材
１１    支持腕
１２    接続部
２    ホルダー部材
２１    回動部材
２２    ホルダーベルト
３    ピン
４    取付部材
４１    固定部分
４２    回動部分
４３    ヒンジ部分
５    杖
Ｕ    上部支持部材
Ｌ    下部支持部材
Ｖ    立設部材
【図１】
0003118957.tif 000003
【図２】
0003118957.tif 000004
【図３】
0003118957.tif 000005
【図４】
0003118957.tif 000006
【図５】
0003118957.tif 000007
【図６】
0003118957.tif 000008
【図７】
0003118957.tif 000009
【図８】
0003118957.tif 000010
【図９】
0003118957.tif 000011